(57)【要約】【課題】軸筒に対するクリップおよび天冠の取り付け取外しを容易に行なうことを可能にした筆記具を提供すること。【解決手段】軸筒１と、前記軸筒の後端部に取り付けられた天冠２０と、前記天冠の支軸２０ｂにより前記軸筒の側面に取り付けられたクリップ１７と、前記天冠の支軸にねじ込まれて前記クリップの基端部１７ａに当接することで、クリップの基端部を軸筒に固定するスリーブナット２１とが具備される。前記クリップの基端部には、前記天冠の支軸を挿通する貫通孔１７ｃが形成されると共に、前記貫通孔には直線状の縁部１７ｂが形成され、直線状の前記縁部に向って前記天冠の支軸に形成された面そぎ部２０ｄが位置することで、前記貫通孔に挿通された天冠の支軸の軸回転が阻止される。【選択図】図１
2019119056.tif 000002
【特許請求の範囲】
【請求項１】
軸筒と、前記軸筒の後端部に取り付けられた天冠と、前記天冠の支軸により前記軸筒の側面に取り付けられたクリップと、前記天冠の支軸にねじ込まれて前記クリップの基端部に当接することで、クリップの基端部を軸筒に固定するスリーブナットとが具備され、
前記クリップの基端部には、前記天冠の支軸を挿通する貫通孔が形成されると共に、前記貫通孔には直線状の縁部が形成され、直線状の前記縁部に向って前記天冠の支軸に形成された面そぎ部が位置することで、前記貫通孔に挿通された天冠の支軸の軸回転を阻止したことを特徴とする筆記具。
【請求項２】
前記軸筒の側面には、スリット状の開口が形成され、当該開口に前記クリップの基端部が挿入されて、前記クリップが軸筒の側面に取り付けられたことを特徴とする請求項１に記載の筆記具。
【請求項３】
前記軸筒の後端部に取り付けられた天冠には、当該天冠を囲むようにしてリング状の天冠飾りが取り付けられていることを特徴とする請求項１または請求項２に記載の筆記具。
【請求項４】
前記軸筒の後端部には、軸に直交するように折り曲げ端面が形成されると共に、前記折り曲げ端面には直線状の開口縁部を有する非円形の開口が形成され、
前記直線状の開口縁部に向って前記天冠飾りに形成された面そぎ部が位置することで、前記非円形の開口に挿入された天冠飾りの軸回転を阻止可能に構成し、
前記軸筒の内側に位置する前記天冠飾りの雄ねじに対して、飾り止めナットを締結したことを特徴とする請求項３に記載の筆記具。
【請求項５】
前記飾り止めナットとスリーブナットとの間に、前記クリップの基端部が挟み込まれて締結されていることを特徴とする請求項４に記載の筆記具。
【発明の詳細な説明】
【技術分野】
【０００１】
この発明は、軸筒の後部に配置されるクリップならびに天冠の取り付け構造に改良を加えた筆記具に関する。
【背景技術】
【０００２】
筆記具における軸筒の後部には、一般にクリップが配置されており、このような筆記具においては、クリップの基端部が例えば天冠によって軸筒の後端部に取り付けられた構造が採用されている。
特許文献１ないし３には、クリップの基端部がリング状に成形されて、リング状の基端部が軸筒の後端部に対して、天冠がねじ込みもしくは嵌め込まれることにより取り付けた構成が採用されている。
そして、クリップの基端部が接する軸筒の一部には、切欠きもしくは突起が施されて、クリップの一部が前記切欠きもしくは突起に係合することで、クリップが軸筒に対して自由に回動しないようにした回り止め機構も採用されている。
【０００３】
一方、特許文献４には、軸筒の後端部側の周側面にスリット状の開口が施され、このスリット状の開口にＬ字状に形成されたクリップの基端部を挿入して、軸筒内においてクリップを取り付けた構成が開示されている。
すなわち、クリップの基端部には貫通孔が施され、軸筒内において前記貫通孔に挿通するねじが、軸筒の後端部に嵌め込まれた天冠の裏側に対してねじ込まれることで、クリップが取り付けられている。
【先行技術文献】
【特許文献】
【０００４】
【特許文献１】特開昭５７−３９２８３号公報
【特許文献２】実開平７−４０１９１号公報
【特許文献３】実開平７−２３５９２号号公報
【特許文献４】実公昭１０−６１２８号公報
【発明の概要】
【発明が解決しようとする課題】
【０００５】
ところで、昨今におけるこの種の筆記具においては、高級志向の商品が提供されており、このような商品においては例えば記念品として採用される場合も少なくない。
このような記念の品においては、軸筒にネームや名称などが施される場合があり、例えばクリップが塑性変形により開いてしまった場合や、落下により天冠等に傷を付けた場合などには、軸筒を残して必要な部品を交換する修理依頼を受ける場合も多い。
したがって、前記した商品の提供側においては、その一部を交換するような修理に備えて、容易に分解および組み立てが可能となる配慮をすることが必要となる。
【０００６】
ところで、前記した特許文献１〜４に開示された筆記具においては、軸筒に対して天冠を嵌め込み、もしくはねじ込みにより取り付け、軸筒と天冠の間にクリップの基端部を挟み込むことにより、もしくは天冠の裏側にクリップの基端部をねじにより取り付けることにより、クリップを装着した構成が採用されている。
この場合、例えばユーザーにおいて、軸筒から天冠を容易に取り外すことが可能である場合には、部品を紛失する問題を避けるために、商品の提供側において、その取り付けに接着剤を併用する場合が多い。このような場合には、一部の部品の交換修理は不可能になる場合があり、また接着を外すために、その作業に時間を要する場合も生ずる。
【０００７】
そこでこの発明は、特に軸筒に対するクリップおよび天冠の取り付け取り外しを容易に行なうことを可能にした筆記具を提供しようとするものである。
加えて、天冠などの円柱状の部品の取り付けおよび取り外し作業に際して、これが空回りする等して、作業に障害をもたらすことがなく、天冠を利用して十分な締結がなされることで、クリップ等の確実な固定状態を実現することができる筆記具を提供することを主要な課題とするものである。
【課題を解決するための手段】
【０００８】
前記した課題を解決するためになされたこの発明に係る筆記具は、軸筒と、前記軸筒の後端部に取り付けられた天冠と、前記天冠の支軸により前記軸筒の側面に取り付けられたクリップと、前記天冠の支軸にねじ込まれて前記クリップの基端部に当接することで、クリップの基端部を軸筒に固定するスリーブナットとが具備され、前記クリップの基端部には、前記天冠の支軸を挿通する貫通孔が形成されると共に、前記貫通孔には直線状の縁部が形成され、直線状の前記縁部に向って前記天冠の支軸に形成された面そぎ部が位置することで、前記貫通孔に挿通された天冠の支軸の軸回転を阻止したことを特徴とする。
【０００９】
この場合、好ましくは前記軸筒の側面には、スリット状の開口が形成され、当該開口に前記クリップの基端部が挿入されて、前記クリップが軸筒の側面に取り付けられた構成が採用される。
また、前記軸筒の後端部に取り付けられた天冠には、当該天冠を囲むようにしてリング状の天冠飾りが取り付けられた構成が採用される。
【００１０】
さらに好ましい一つの形態においては、前記軸筒の後端部には、軸に直交するように折り曲げ端面が形成されると共に、前記折り曲げ端面には直線状の開口縁部を有する非円形の開口が形成され、前記直線状の開口縁部に向って前記天冠飾りに形成された面そぎ部が位置することで、前記非円形の開口に挿入された天冠飾りの軸回転を阻止可能に構成し、前記軸筒の内側に位置する前記天冠飾りの雄ねじに対して、飾り止めナットを締結した構成が採用される。
【００１１】
そして、前記飾り止めナットとスリーブナットとの間に、前記クリップの基端部が挟み込まれて締結されていることが望ましい。
【発明の効果】
【００１２】
前記したこの発明に係る筆記具によると、クリップの基端部に形成された貫通孔には、直線状の縁部が形成され、この縁部に向って天冠の支軸に形成された面そぎ部が位置して、天冠は回り止めされる。したがって、クリップの基端部を固定するスリーブナットのねじ込み操作を円滑になし得ることができる。これは部品の交換等に際して、スリーブナットを取り外す際にも同様に円滑に操作することが可能となる。
【００１３】
一方、軸筒の後端部における折り曲げ端面に形成された開口には、直線状の開口縁部が形成されて、この縁部に向って天冠飾りに形成された面そぎ部が位置することで、天冠飾りは回り止めされる。したがって、天冠飾りを軸筒の後端部に固定する飾り止めナットの締結操作も円滑になし得ることができ、飾り止めナットの取り外しに際しても、同様に円滑に操作することができる。
【００１４】
そして、軸筒後端部における折り曲げ端面に、天冠飾りと共に締結された飾り止めナットを台にして、前記クリップの基端部を、スリーブナットによって挟み込むようにして締結するので、クリップを強固にして確実に固定することが可能となる。
【図面の簡単な説明】
【００１５】
【図１】この発明に係る繰出し式筆記具の全体構成を示し、（Ａ）は正面図、（Ｂ）は中央断面図である。
【図２Ａ】筆記リフィールの外観構成を示した斜視図である。
【図２Ｂ】筆記リフィールの中央断面図である。
【図３】図１に示す筆記具後端部を拡大した断面図である。
【図４】図１に示す筆記具前端部を拡大した断面図である。
【図５Ａ】戻しスプリングの第１の例を示した一部端面図である。
【図５Ｂ】戻しスプリングの第２の例を示した一部端面図である。
【図６】図１に示す筆記具後端部を一部破断して示した斜視図である。
【図７Ａ】後軸単体の斜視図である。
【図７Ｂ】後軸単体の上面図である。
【図７Ｃ】後軸単体の中央断面図である。
【図８Ａ】クリップ単体の斜視図である。
【図８Ｂ】クリップ単体の上面図である。
【図９】天冠飾りを示しており、（Ａ）は斜視図、（Ｂ）は視点を変えた斜視図、（Ｃ）は中央断面図、（Ｄ）は底面図である。
【図１０】飾り止めナットを示しており、（Ａ）は斜視図、（Ｂ）は視点を変えた斜視図、（Ｃ）は中央断面図、（Ｄ）は底面図である。
【図１１Ａ】天冠の正面図である。
【図１１Ｂ】天冠の斜視図である。
【図１２Ａ】スリーブナットの斜視図である。
【図１２Ｂ】スリーブナットの視点を変えた斜視図である。
【図１２Ｃ】スリーブナットの中央断面図である。
【発明を実施するための形態】
【００１６】
この発明に係る繰出し式筆記具について、図に示す実施の形態に基づいて説明する。
なお、以下に示す各図においては、同一部分を同一符号で示しているが、一部の図面においては紙面の都合で代表的な部分に符号を付けて、その詳細な構成については、その他の図面に付けた符号を引用して説明することもある。
図１（Ａ）および図１（Ｂ）は、繰出し式筆記具の全体構成を示しており、この繰出し式筆記具は、外径がほぼ同一になされた円筒状の前軸１Ａと後軸１Ｂとにより軸筒１を構成している。そして、後で説明するように前軸１Ａに対して後軸１Ｂが相対回転されることで、軸筒前端部の口先部から筆記部が出没される回転繰出し式筆記具を構成している。
【００１７】
前軸１Ａの前端部には、先端内周面に雌ねじが、後端外周面に雄ねじが施された円筒状の連結体２が取り付けられており、この連結体２を介して、先端部側に金属製の口先部（口金）３が取り付けられると共に、口先部３と前軸１Ａとの間に加飾筒体４が取り付けられている。
そして、円錐状に成形された前記口先部３の先端部には開口３ａが形成されており、この開口３ａから軸筒１内に収容された筆記リフィール５の先端筆記部５ａが出没されるように構成されている。
【００１８】
この例に示す繰出し式筆記具には、筆記リフィール５の先端筆記部５ａから、摩擦部材等からの熱を加えることで、筆跡を変色させることが可能な熱変色性インクが塗出される。なお、この例に示す繰出し式筆記具は、筆記具外面に熱可塑性エラストマー等のゴム弾性材料からなる摩擦部材を軸筒外面に備えないことで、長期間の使用でも軸筒外面に汚れの目立ちにくい熱変色性筆記具を提供することができる。
なお、この筆記リフィール５としては、先端筆記部５ａに例えばボールペンチップを備えたボールペンリフィールや、マーキングペン芯等のその他の筆記チップを備えたリフィールを用いることができることは当然である。
【００１９】
ここで、熱変色性インクとは、常温（例えば２５℃）で所定の色彩（第１色）を維持し、所定温度（例えば６０℃）まで昇温させると、別の色彩（第２色）へと変化し、その後、所定温度（例えば−５℃）まで冷却させると、再び元の色彩（第１色）へ復帰する性質を有するインクを言う。熱変色性インクを用いた筆記具においては、前記第２色を無色とし、第１色（例えば赤）で筆記した描線を、前記摩擦により昇温させて無色とすることで、実質的に描線を消去することができる。なお、前記第２色は当然ながら無色以外の有色にすることも可能である。
【００２０】
この筆記リフィール５は、図２Ａおよび図２Ｂに示されているように、先端筆記部５ａを支持する金属管５Ａと、この金属管５Ａの後端部に取り付けられた樹脂製の栓体５Ｂを備えている。なお、金属管５Ａは、筆記リフィール５がボールペンリフィールである場合には、インク収容管になされる。
そして、金属管５Ａの先端部分が、前記先端筆記部５ａとほぼ同一の外径寸法となるように細く成形されて細径部５ｂを構成しており、前記細径部５ｂから径を太くするテーパー部５ｃを介して本体の大径部５ｄに連続するように一体成形されている。
【００２１】
一方、金属管５Ａの後端部を塞ぐ栓体５Ｂには、円環状に配列された複数のカム面や軸方向に沿う溝部等が形成されており、このカム面５ｅ等は、例えばノック式の繰出し式筆記具に装着した場合において、筆記リフィール５の所定角度の回転ごとに、筆記リフィール５が前進および後退した状態にロックされるように作用する。
【００２２】
一方、図４に筆記具先端部を拡大断面図で示したように、前記した筆記部５ａは、その先端部にテーパー面５ａ１が形成されている。また、筆記部５ａの後端部には、その中央部に対して若干径を細くして取り付け部５ａ２が形成されており、この取り付け部５ａ２が金属管５Ａの細径部５ｂに嵌合により取り付けられている。
そして、先端筆記部５ａに形成されたテーパー面５ａ１の軸を中央にした角度をα１、前記口先部３の開口３ａにおける軸を中央にした内面角度をα２としたとき、α１＞α２となる関係に設定されている。
なお、図に示す例においては、α１＝３５度、α２＝１０度である。
【００２３】
前記筆記リフィール５として、例えばボールペンリフィールを例にした場合、先端筆記部５ａとしてのボールペンチップは金属素材により成形される例が多く、この場合、テーパー面５ａ１が、旋盤等の加工機により切削加工された場合には、テーパー面５ａ１に円周状の切削痕であるひき目が残される。
これにより、先端筆記部５ａが口先部３の開口３ａから繰出される際に、先端筆記部５ａのテーパー面５ａ１に残された前記ひき目が、口先部３の開口３ａ内面に擦れることで、不快な摺接音が発生するところ、前記したα１とα２の関係に設定することで、不快な摺接音の発生を効果的に防止することができるものとなる。
【００２４】
一方、前記筆記リフィール５の細径部５ｂには、コイル状の戻しスプリング６が装着されている。この戻しスプリング６の前端部は、図４に示すように口先部３の内面に、内径を段状に縮小させることで形成された環状の当接部３ｂに当接しており、スプリング６の後端部は、図１に示すようにリフィール５の金属管５Ａにおけるテーパー部５ｃに接した状態で配置されている。これにより、戻しスプリング６は、筆記リフィール５を軸筒１内の後方に向って付勢している。
【００２５】
図５Ａおよび図５Ｂは、前記した戻しスプリング６の好ましい第１と第２の形態を、その中腹部を端面図で示している。
先ず、図５Ａに示す戻しスプリング６の第１の形態においては、スプリング６の前端部側（図の左側）および後端部側（図の右側）は、中腹部に対してコイルピッチが密着する程度に狭く形成されている。そして後端部側は、外径が順次拡大する拡径部６ａになされており、この後端部側の拡径部６ａが前記筆記リフィール５の金属管５Ａにおけるテーパー部５ｃに接することにより、筆記リフィール５と戻しスプリング６との軸心が一致するように構成されている。
【００２６】
そして、戻しスプリング６の前端部側は、口先部３の環状の当接部３ｂ（図４）に当接することで、前記したとおり筆記リフィール５を軸筒１内の後方に向って付勢している。
また、図５Ａに示す戻しスプリング６における前端部側の径をＤ１としたとき、スプリング６の中腹部には、前記径Ｄ１よりも径の小さなくびれ部６ｂ１が形成されており、このくびれ部６ｂ１の前後には、前記径Ｄ１にほぼ等しい径を有する領域６ｃ１，６ｃ２がそれぞれ形成されている。
すなわち、前記くびれ部６ｂ１は、戻しスプリング６において外径が最小径となるように成形されており、後端部側の拡径部６ａの外径が最大径に成形されている。
【００２７】
また、図５Ｂに示す戻しスプリング６の第２の形態においては、スプリング６の前端部側（図の左側）および後端部側（図の右側）の構成は、図５Ａに示した第１の形態と同様であり、その説明は省略する。
この第２の形態の戻しスプリング６においては、その中腹部の前後に、前端部側の径Ｄ１よりも若干径が太い領域（膨らみ部）６ｄ１，６ｄ２が形成され、その領域６ｄ１，６ｄ２の間に、前記径Ｄ１にほぼ等しい径の領域６ｂ２が形成されている。すなわち、第２の形態の戻しスプリング６においては、前記領域６ｂ２が、戻しスプリング６において外径が最小径となるくびれ部に相当するものとなる。
【００２８】
前記したくびれ部６ｂ１，６ｂ２を備えた第１および第２形態の戻しスプリング６によると、筆記部５ａが口先部３から繰出されて筆記可能になされた状態、すなわち戻しスプリング６を収縮させた状態においては、戻しスプリング６の前記くびれ部６ｂ１，６ｂ２は、筆記リフィールの細径部５ｂの一部に適宜接する等して、戻しスプリング６の中央部に、たわみが生ずるのを抑制するように作用する。
【００２９】
したがって、戻しスプリング６による反発力は、主に軸心方向に働くことになり、戻しスプリング６の中腹部がたわむことにより、先端筆記部５ａが口先部３の開口３ａの一部に向って強く押しつけられる従来の筆記具の問題点を解消することができる。
これにより、先端筆記部５ａを、口先部３の開口３ａのほぼ中央部に位置させるように設定することができる。それ故、口先部３の開口３ａを通る先端筆記部５ａが、軸心から片寄ったスプリング圧を受けた状態で筆記圧を受け、先端筆記部５ａが口先部３の開口３ａ内を往復して異音（衝突音＝カチカチ音）が発生するのを効果的に抑制することができるものとなる。
【００３０】
また、図５Ｂに示す第２形態の戻しスプリング６を用い、このスプリング６と口先部３の内周面との隙間を適切に調整することで、スプリング６にたわみが生じようとするときに、スプリング６の前記した膨らみ部６ｄ１，６ｄ２が、口先部３の内周面に当たるように設定することで、同様に先端筆記部５ａを、口先部３の開口３ａのほぼ中央部に位置させるように構成することもできる。
【００３１】
前記前軸１Ａの後端部開口には、図１および図６に示すように、内周面に雌ねじが施された連結部材８が、嵌合により取り付けられている。一方、後軸１Ｂの前端部開口には、円筒状の螺合部材９が後軸１Ｂに対して、所定の回転角において回動可能となるように取り付けられていて、螺合部材９に形成された雄ねじが、前軸１Ａに嵌合された連結部材８の雌ねじに螺合されることで、前軸１Ａと後軸１Ｂが連結されている。
前記螺合部材９の後端部内周面には、雌ねじが施されており、この雌ねじに対して回転繰出しユニット１１に備えられた回動部材１２の前端部がねじ込まれて取り付けられている。
【００３２】
前記回転繰出しユニット１１内には、図１に示すようにスライダ１３が収容されており、このスライダ１３の後部にはカム部材１４が収容されている。そして、前記回動部材１２に対して、回転繰出しユニット１１のユニットケースが相対回転することで、前記カム部材１４の作用により、スライダ１３は軸前方に押し出される作用を受ける。
前記スライダ１３の先端部には、軸方向に移動可能な短軸部材１５が配置されており、この短軸部材１５の前端部は、筆記リフィール５の後端部に取り付けられた栓体５Ｂに当接している。
【００３３】
前記回転繰出しユニット１１は、後述するようにスリーブナットを介して後軸１Ｂ内に取り付けられており、したがって、前軸１Ａに対して後軸１Ｂを一方向に相対回転（右回転）させることで、筆記リフィール５の先端筆記部５ａは、口先部３の先端開口３ａから繰出される。また、前軸１Ａに対して後軸１Ｂを他方向に相対回転（左回転）させることで、前記した戻しスプリング６の作用を受けて、先端筆記部５ａは、口先部３内に収容されることになる。
すなわち、この実施の形態においては、後軸１Ｂが先端筆記部５ａの繰出し操作部を構成している。
【００３４】
図７Ａ，図７Ｂおよび図７Ｃは、後軸１Ｂの単体構成を示しており、この後軸１Ｂは前記したとおり円筒状に形成され、その後端部には、軸に直交するようにして折り曲げ端面１ａが一体に形成されている。この折り曲げ端面１ａの中央部には、直線状の開口縁部１ｂが対向するように備えられた非円形の開口１ｃが形成されている。また、後軸１Ｂの後端部の直近における側面の一部には、スリット状の開口１ｄが形成されており、これは後述するクリップの基端部が挿入されて後軸１Ｂに取り付けるために利用される。
【００３５】
図８Ａおよび図８Ｂは、クリップ１７の単体構成を示しており、このクリップ１７はＬ字状に成形されて、その基端部１７ａが前記した後軸１Ｂのスリット状の開口１ｄに挿入されて後軸１Ｂに取り付けられる。加えて、基端部１７ａには円の一部に直線状の縁部１７ｂを形成してＤ字状になされた貫通孔１７ｃが形成されている。
なお、クリップ１７の先端部には、クリップ玉１７ｄが一体に成形されている。
【００３６】
図９（Ａ），（Ｂ），（Ｃ），（Ｄ）は、天冠飾り１８を示しており、この天冠飾り１８の軸心部には、貫通孔１８ａが形成されて全体がリング状に成形されている。
そして、この天冠飾り１８は、径の太い頭部１８ｂと、径の細い中央頸部１８ｃと、この頸部１８ｃに続いて若干径を細くした円筒部には雄ねじ１８ｄが形成されている。
また、前記頸部１８ｃには、両外側に向って平面状に成形された面そぎ部１８ｅが形成されており、この一対の面そぎ部１８ｅは、前記した後軸１Ｂの非円形の開口１ｂにおける直線状の開口縁部１ｂに沿って挿入されることで、後軸１Ｂに対する天冠飾り１８の回り止めとして機能する。
【００３７】
図１０（Ａ），（Ｂ），（Ｃ），（Ｄ）は、飾り止めナット１９を示しており、この飾り止めナット１９の軸心部には、貫通孔１９ａが形成されてリング状に成形され、この貫通孔１９ａ内には雌ねじ１９ｂが形成されている。この飾り止めナット１９の円筒状の周面１９ｃには、両外側に向って平面状に成形された面そぎ部１９ｄが形成されている。加えて、飾り止めナット１９の軸方向の端部には、鍔部１９ｅが形成されている。
【００３８】
図１１Ａおよび図１１Ｂは天冠２０を示しており、この天冠２０の円形状の頭部２０ａの上面は、曲率の大きな球面の一部を構成し、かつ頭部２０ａは軸方向に若干肉厚に形成されている。この頭部２０ａに続いて、径を細くした円柱状の支軸２０ｂが形成され、この支軸２０ｂの先端部側はさらに若干径を細くして雄ねじ２０ｃが形成されている。そして、雄ねじ２０ｃを含む支軸２０ｂの先端部側には、軸方向に沿って平面状の面そぎ部２０ｄが形成されている。
【００３９】
図１２Ａ，図１２Ｂおよび図１２Ｃは、スリーブナット２１を示しており、このスリーブナット２１は、その全体が円筒状に成形されて、径を細くした頸部２１ａの端部には鍔部２１ｂが形成されると共に、頸部２１の内周面には、雌ねじ２１ｃが形成されている。
そして、大径部２１ｄの開口縁には、周方向に沿った１８０度対向する位置に、それぞれＵ字状の切欠部２１ｅが形成されている。
【００４０】
図３および図６は、前記した天冠飾り１８、飾り止めナット１９、天冠２０、スリーブナット２１を用いて、前記クリップ１７および回転繰出しユニット１１を後軸１Ｂに取り付けた状態を示している。
図３および図６に示す状態に組み上げるには、先ず後軸１Ｂの折り曲げ端面１ａに形成された直線状の開口縁部１ｂに、天冠飾り１８に形成された面そぎ部１８ｅを当てる。
【００４１】
この状態で、飾り止めナット１９の面そぎ部１９ｄに係合する二股状の突起を備えた図示せぬ第１治具を利用して、飾り止めナット１９を後軸１Ｂ内に挿入し、第１治具を軸回転させることで、前記後軸の内側に位置する前記天冠飾り１８の雄ねじ１８ｄに対して、飾り止めナット１９の雌ねじ１９ｂがねじ込まれる。
この場合、天冠飾り１８の面そぎ部１８ｅが、後軸１Ｂの直線状の開口縁部１ｂに当たるために、天冠飾り１８は後軸１Ｂに対して回り止めされており、したがって、飾り止めナット１９を天冠飾り１８に対して円滑に締め付けることができる。これにより、天冠飾り１８および飾り止めナット１９を後軸１Ｂに対して円滑に取り付けることができる。
【００４２】
続いて、クリップ１７の基端部１７ａを、後軸１Ｂのスリット状開口１ｄに挿入し、天冠飾り１８の貫通孔１８ａに、天冠２０の雄ねじ２０ｃが形成された先端部を挿入する。このとき、天冠２０の面そぎ部２０ｄが、クリップ１７のＤ字状貫通孔１７ｃに形成された直線状縁部１７ｂに沿うように、天冠２０の先端部を挿入する。これにより、天冠２０はクリップ１７に対して回り止めされる。これと同時にクリップ１７の基端部１７ａは、貫通孔１７ｃに挿通された天冠２０の支軸により、後軸１Ｂのスリット状開口１ｄから抜け出ないように仮止めされる。
【００４３】
この状態で、スリーブナット２１の大径部２１ｄに形成された一対の切欠部２１ｅに係合する一対の突起を備えた図示せぬ第２治具を利用して、スリーブナット２１を後軸１Ｂ内に挿入し、第２治具を軸回転させることで、スリーブナット２１の雌ねじ２１ｃが天冠２０の雄ねじ２０ｃにねじ込まれる。
この時、前記したように天冠２０は、クリップ１７のＤ字状貫通孔１７ｃによって回り止めされており、したがって、スリーブナット２１を天冠２０の支軸２０ｂに形成された雄ねじ２０ｃに対して円滑に締め付けることができる。これにより、クリップ１７の基端部１７ａは、飾り止めナット１９を台にして、スリーブナット２１の鍔部２１ｂとの間に挟まれて固定される。
【００４４】
この状態で、スリーブナット２１の大径部２１ｄ内に、前記した回転繰出しユニット１１を嵌め込んで固定すると共に、回転繰出しユニット１１の前部に、図１に示すように短軸部材１５および螺合部材９を順次装着することで、後軸１Ｂ側の図１および図６に示す構成が組み上げられる。
【００４５】
以上説明したように、この発明に係る筆記具によると、軸筒の後端部に取り付ける天冠飾りは、天冠飾りに形成された面そぎ部により軸筒に対して回り止めされるので、この天冠飾りに対して軸筒内でねじ込まれる飾り止めナットの締結操作を円滑に行なうことができる。また、天冠の支軸に形成された面そぎ部によって、クリップの基端部に形成された貫通孔に対して、天冠は回り止めされるので、天冠の支軸に対するスリーブナットのねじ込み操作を円滑になし得ることができる。
これにより、天冠飾りと共に軸筒に締結された飾り止めナットを台にして、クリップの基端部を、スリーブナットによって挟み込むようにして強固に締結することができると共に、軸筒に対するクリップおよび天冠の取り付け取り外しを容易に行なうことを可能にした筆記具を提供することができる。
【００４６】
なお、軸筒に対する天冠およびクリップの取り付けおよび取り外しには、前記した第１と第２の治具を利用することで行なうことができ、一般に流通している例えばドライバーなどを利用して分解することは困難である。
したがって、図示例の筆記具によると、ユーザーが分解して部品を紛失する問題を避けるために、天冠部分に接着剤等を併用する必要はなく、より組み立ておよび分解の容易性に寄与することができるものとなる。
【符号の説明】
【００４７】
１      軸筒
１Ａ    前軸
１Ｂ    後軸（繰出し操作部）
１ａ    折り曲げ端面
１ｂ    直線状開口縁部
１ｃ    非円形開口
１ｄ    スリット状開口
３      口先部（口金）
３ａ    先端開口
５      筆記リフィール
５Ａ    金属管（インク収容管）
５Ｂ    栓体
５ａ    筆記部
５ａ１  テーパー面
５ａ２  取り付け部
５ｂ    細径部
５ｃ    テーパー部
５ｄ    大径部
６      戻しスプリング
６ａ    拡径部
６ｂ１，６ｂ２  くびれ部
６ｄ１，６ｄ２  膨らみ部
１１    回転繰出しユニット
１２    回動部材
１３    スライダ
１４    カム部材
１５    短軸部材
１７    クリップ
１７ａ  基端部
１７ｂ  直線状縁部
１７ｃ  貫通孔（Ｄ字状貫通孔）
１８    天冠飾り
１８ａ  貫通孔
１８ｂ  頭部
１８ｃ  頸部
１８ｄ  雄ねじ
１８ｅ  面そぎ部
１９    飾り止めナット
１９ａ  貫通孔
１９ｂ  雌ねじ
１９ｃ  円筒周面
１９ｄ  面そぎ部
１９ｅ  鍔部
２０    天冠
２０ａ  頭部
２０ｂ  支軸
２０ｃ  雄ねじ
２０ｄ  面そぎ部
２１    スリーブナット
２１ａ  頸部
２１ｂ  鍔部
２１ｃ  雌ねじ
２１ｄ  大径部
２１ｅ  切欠部
【図１】
2019119056.tif 000003
【図２Ａ】
2019119056.tif 000004
【図２Ｂ】
2019119056.tif 000005
【図３】
2019119056.tif 000006
【図４】
2019119056.tif 000007
【図５Ａ】
2019119056.tif 000008
【図５Ｂ】
2019119056.tif 000009
【図６】
2019119056.tif 000010
【図７Ａ】
2019119056.tif 000011
【図７Ｂ】
2019119056.tif 000012
【図７Ｃ】
2019119056.tif 000013
【図８Ａ】
2019119056.tif 000014
【図８Ｂ】
2019119056.tif 000015
【図９】
2019119056.tif 000016
【図１０】
2019119056.tif 000017
【図１１Ａ】
2019119056.tif 000018
【図１１Ｂ】
2019119056.tif 000019
【図１２Ａ】
2019119056.tif 000020
【図１２Ｂ】
2019119056.tif 000021
【図１２Ｃ】
2019119056.tif 000022